【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
飲料ディスペンサのための制御システムであって、
炭酸化レベルと所定の体積とを含む飲料選択を受信するように構成されたユーザインターフェースと、
前記選択された炭酸レベルを伴う前記選択された飲料の前記所定の体積を分注するために、炭酸流体のための第１の弁と非炭酸流体のための第２の弁とのための弁タイミングスキームを判定するように構成され、かつ前記弁タイミングスキームに従って前記第１の弁および前記第２の弁を作動させ、前記選択された炭酸化レベルを伴う前記選択された飲料の前記所定の体積を分注するように構成されている、コントローラと
を備え、
前記弁タイミングスキームは、第１の分注部分と、前記第１の分注部分の後に行われる第２の分注部分とを備え、
前記第１の分注部分は、複数のサイクルを含み、
各サイクルは、前記炭酸流体の第１の体積を分注するために前記第１の弁を開閉することと、前記非炭酸流体の第２の体積を分注するために前記第２の弁を開閉することとを含み、
前記第１の体積は、各サイクルに対して均一であり、前記第２の体積は、各サイクルに対して均一であり、
前記第２の分注部分は、前記選択された炭酸化レベルを伴う前記選択された飲料の前記所定の体積を分注することを完成するために、前記炭酸流体または前記非炭酸流体のうちの１つのみの第３の体積を分注するために、前記第１の弁または前記第２の弁のうちの１つのみを開閉することを含み、
前記第３の体積は、前記第１の体積よりも大きく、かつ前記第２の体積よりも大きい、制御システム。
【請求項２】
前記第１の体積および前記第２の体積は、等しい、請求項１に記載の制御システム。
【請求項３】
前記第１の体積は、第１の期間にわたって分注され、前記第２の体積は、第２の期間にわたって分注され、前記第３の体積は、第３の期間にわたって分注され、
前記第１の期間および前記第２の期間は、等しく、
前記第３の期間は、前記第１の期間よりも長く、かつ前記第２の体積よりも長い、請求項１に記載の制御システム。
【請求項４】
前記弁タイミングスキームは、香味料を分注するための香味料弁のための香味料弁タイミングスキームをさらに含み、
前記第１の分注部分の各サイクルは、前記香味料の第４の体積を分注するために前記香味料弁を開閉することを含み、
前記第２の分注部分は、複数回前記香味料の前記第４の体積を分注するために、複数回前記香味料弁を開閉することを含み、
前記第４の体積は、各サイクルに対して、および前記第２の分注部分における各分注に対して均一である、請求項１に記載の制御システム。
【請求項５】
前記弁タイミングスキームは、香味料を分注するための香味料弁のための香味料弁タイミングスキームをさらに含み、
前記香味料弁は、前記弁タイミングスキームの前記第１の分注部分および前記第２の分注部分の間に連続的に前記香味料を分注する、請求項１に記載の制御システム。
【請求項６】
前記弁タイミングスキームは、前記炭酸流体とは異なる炭酸化レベルを伴う第２の炭酸流体のための１つ以上の付加的弁のためのタイミングをさらに含む、請求項１に記載の制御システム。
【請求項７】
前記弁タイミングスキームは、前記ユーザインターフェースを介して調節されるように構成されている、請求項１に記載の制御システム。
【請求項８】
前記ユーザインターフェースは、前記炭酸化レベルが０％炭酸化〜１００％炭酸化の範囲内の任意の値であるように選択可能であることを可能にするように構成されている、請求項１に記載の制御システム。
【請求項９】
請求項１に記載の制御システムを用いて部分的に炭酸化された飲料を分注する方法であって、前記方法は、
ユーザインターフェースを用いて、前記炭酸化レベルと前記所定の体積とを含む前記飲料選択を受信することと、
前記コントローラを用いて、前記選択された炭酸レベルを伴う前記選択された飲料の前記所定の体積を分注するために、前記炭酸流体のための前記第１の弁と前記非炭酸流体のための前記第２の弁とのための前記弁タイミングスキームを判定することと、
前記弁タイミングスキームに従って前記第１の弁および前記第２の弁を作動させ、前記選択された炭酸化レベルを伴う前記選択された飲料の前記所定の体積を分注することと
を含む、方法。
【請求項１０】
飲料ディスペンサであって、
請求項１に記載の制御システムと、
前記第１の弁と、
前記第２の弁と
を備える、飲料ディスペンサ。
【請求項１１】
飲料ディスペンサのための制御システムであって、
炭酸化レベルと、ユーザ開始分注入力と、ユーザ開始終了入力とを含む飲料選択を受信するように構成されたユーザインターフェースと、
前記選択された炭酸レベルを伴う前記選択された飲料の用量を分注するサイクルのための弁タイミングスキームを判定するように構成されたコントローラと
を備え、
サイクルは、炭酸流体の第１の体積を分注するために第１の弁を開閉することと、非炭酸流体の第２の体積を分注するために第２の弁を開閉することを含み、
前記コントローラは、
前記ユーザ開始分注入力が受信されることを判定し、前記ユーザ開始分注入力が受信されたことを判定することに応じて、前記弁タイミングスキームに従って前記第１の弁および前記第２の弁を作動させ、１つ以上の連続したサイクルにおいて用量を連続的に分注することと、
前記ユーザ開始終了入力が受信されるまでに前記１つ以上の連続したサイクルにおいて前記用量を連続的に分注するために、前記ユーザ開始分注入力が受信された後に前記弁タイミングスキームに従って前記第１の弁および前記第２の弁を作動させ続けることと、
前記ユーザ開始終了入力が受信されることを判定し、前記ユーザ開始終了入力が受信されたことを判定することに応じて、前記終了入力が受信されるときに分注している前記サイクルの点に関わらずに、前記第１の弁および前記第２の弁の作動を直ちに終了させることと
を行うようにさらに構成されている、制御システム。
【請求項１２】
前記第１の体積および前記第２の体積は、それぞれ、０．１〜０．５流体オンスである、請求項１１に記載の制御システム。
【請求項１３】
前記弁タイミングスキームは、香味料を含む飲料添加剤のための１つ以上の付加的弁のためのタイミングをさらに含む、請求項１１に記載の制御システム。
【手続補正２】
【補正対象書類名】明細書
【補正対象項目名】００１４
【補正方法】変更
【補正の内容】
【００１４】
本発明の性質および利点のさらなる理解のために、添付の図面と併せて検討される、以下の発明を実施するための形態を参照されたい。しかしながら、図のそれぞれは、例証および説明目的のためだけに提供され、本発明の実施形態の限定の定義として意図されないことを明示的に理解されたい。
本願明細書は、例えば、以下の項目も提供する。
（項目１）
部分的に炭酸化された飲料を分注する方法であって、
ユーザインターフェースを用いて、炭酸化レベルを含む飲料選択を受信することと、
炭酸流体のための第１の弁と非炭酸流体のための第２の弁とのための弁タイミングスキームを判定し、前記選択された炭酸化レベルを達成することと、
前記弁タイミングスキームを使用して、前記第１の弁および前記第２の弁を作動させ、前記選択された炭酸化レベルを伴う前記選択された飲料を分注することと
を含む、方法。
（項目２）
前記弁タイミングスキームは、複数のサイクルを含み、各サイクルは、前記第１の弁および前記第２の弁を開閉することを含む、項目１に記載の方法。
（項目３）
前記複数のサイクルのそれぞれは、均一量の飲料を分注する、項目２に記載の方法。
（項目４）
前記均一量の飲料は、０．１〜０．５流体オンスである、項目３に記載の方法。
（項目５）
前記炭酸流体は、ソーダ水であり、前記非炭酸流体は、蒸留水である、項目１に記載の方法。
（項目６）
前記弁タイミングスキームはさらに、香味料を含む飲料添加剤のための１つ以上の付加的弁のためのタイミングを含む、項目１に記載の方法。
（項目７）
前記弁タイミングスキームの判定は、ユーザインターフェースを介して、調節されることができる、項目１に記載の方法。
（項目８）
炭酸化レベルは、０％炭酸化〜１００％炭酸化の範囲内の任意の値であるように選択可能である、項目１に記載の方法。
（項目９）
飲料分注のための制御システムであって、
炭酸化レベルを含む飲料選択を受信するように構成されたユーザインターフェースと、
炭酸流体のための第１の弁と非炭酸流体のための第２の弁とのための弁タイミングスキームを判定し、前記選択された炭酸化レベルを達成するように構成され、かつ前記弁タイミングスキームを使用して、前記第１の弁および前記第２の弁を作動させ、前記選択された炭酸化レベルを伴う前記選択された飲料を分注するように構成されている、コントローラと
を備える、制御システム。
（項目１０）
前記弁タイミングスキームは、複数のサイクルを含み、各サイクルは、前記第１の弁および前記第２の弁を開閉することを含む、項目９に記載の制御システム。
（項目１１）
前記複数のサイクルのそれぞれは、均一量の飲料を分注する、項目１０に記載の制御システム。
（項目１２）
前記均一量の飲料は、０．１〜０．５流体オンスである、項目１１に記載の制御システム。
（項目１３）
前記炭酸流体は、ソーダ水であり、前記非炭酸流体は、蒸留水である、項目９に記載の制御システム。
（項目１４）
前記弁タイミングスキームはさらに、香味料を含む飲料添加剤のための１つ以上の付加的弁のためのタイミングを含む、項目９に記載の制御システム。
（項目１５）
前記弁タイミングスキームは、前記ユーザインターフェースを介して調節されることができる、項目９に記載の制御システム。
（項目１６）
前記ユーザインターフェースは、前記炭酸化レベルが０％炭酸化〜１００％炭酸化の範囲内の任意の値であるように選択可能であることを可能にするように構成されている、項目９に記載の制御システム。
（項目１７）
飲料ディスペンサであって、
炭酸流体のための第１の弁と、
非炭酸流体のための第２の弁と、
炭酸化レベルを含む飲料選択を受信するように構成されたユーザインターフェースと、
前記第１の弁および前記第２の弁のための弁タイミングスキームを判定し、前記選択された炭酸化レベルを達成するように構成され、かつ前記弁タイミングスキームを使用して、前記第１の弁および前記第２の弁を作動させ、前記選択された炭酸化レベルを伴う前記選択された飲料を分注するように構成されている、コントローラと
を備える、飲料ディスペンサ。
（項目１８）
前記弁タイミングスキームは、複数のサイクルを含み、各サイクルは、前記第１の弁および前記第２の弁を開閉することを含む、項目１７に記載の飲料ディスペンサ。
（項目１９）
前記弁タイミングスキームはさらに、香味料を含む飲料添加剤のための１つ以上の付加的弁のためのタイミングを含む、項目１７に記載の飲料ディスペンサ。
（項目２０）
前記ユーザインターフェースは、前記炭酸化レベルが０％炭酸化〜１００％炭酸化の範囲内の任意の値であるように選択可能であることを可能にするように構成されている、項目１７に記載の飲料ディスペンサ。